(57)【要約】【課題】エアレーション用ブロワーの動力源に水源からの流下水を利用してランニングコストを低減し、且つ、水源が渇水状態などの緊急時においても魚の死滅させることのないよう、養魚槽内へ安定したエアレーションが実施されるシステムを提供する。【解決手段】水車５の回転により養魚槽４に水を供給すると共に発電機６を駆動させ、該発電機６からの発生電力をブロワー１１ｂの電動機１１ａに供給してブロワー１１ｂを駆動させることで養魚槽４内にエアレーションを行わせ、前記発生電力の余剰分は蓄電装置１２に蓄積させ、水源１からの水流が途切れたときは蓄電装置１２からブロワー１１ｂの電動機１１ａに給電しブロワー１１ｂを駆動させて養魚槽４内へのエアレーションを継続させる。【選択図】        図１
2006191801.tif 000002
【特許請求の範囲】
【請求項１】
水源に設けられた取水口よりフローセンサを介して導下される水流により水車を回転させ、該水車の回転により養魚槽に水を供給すると共に発電機を駆動させ、該発電機からの発生電力を制御器中の電力制御部を介しブロワーの電動機に供給してブロワーを駆動させることで養魚槽内にエアレーションを行わせ、前記発生電力の余剰分は前記電力制御部を介して蓄電装置に蓄電させ、取水口からの水流が途切れたときは前記フローセンサからの発信信号を制御器中の信号制御部を経て電力制御部に送信させ、蓄電装置からブロワーの電動機に給電しブロワーを駆動させて養魚槽内へのエアレーションを継続させ、蓄電装置に蓄えられた電力を使い果したときは外部電源から制御器中の電力制御部を介しブロワーの電動機に電力を供給してブロワーを駆動させることで養魚槽内にエアレーションを行わせることを特徴とする、養魚槽内におけるエアレーションシステム。
【請求項２】
養魚槽内には溶存酸素検出器が浸漬されており、該溶存酸素検出器からの検出信号を制御器中の信号制御部で処理して電力制御部へ指令し、該指令に基づきブロワーの電動機の運転制御を行わせることにより前記養魚槽内の溶存酸素量を適正値に保持させることを特徴とする、請求項１記載の養魚槽内におけるエアレーションシステム。
【発明の詳細な説明】
【技術分野】
【０００１】
本発明は、養魚槽内におけるエアレーションシステムに関するものである。
【背景技術】
【０００２】
養魚槽内へのエアレーション装置としてブロワーが一般的に使用される。また、養魚槽の水質を一定に保つため、近隣の河川等から取水管を通じて常時新鮮な水が流れ込むようになっている。公知例としては、外部電力を供給して交流発電機を回転させ該電動機に直結されたブロワーを駆動して養魚槽内にエアレーションを行わせる（例えば、特許文献１参照。）。しかしこの方法では、停電時など交流電動機への給電が停止した場合、即座にブロワーも停止して養魚槽内への酸素供給が断たれ、養殖魚を死滅させることになる。また、交流電動機を常時駆動されるための電力を必要とし、ランニングコストが嵩むことになる。
【０００３】
他の公知例として、越流水による自然エネルギーを利用して水車を回し、該水車に連結されたブロワーを駆動させてエアレーションを行わせる（例えば、特許文献２参照。）。しかしこの方法では、渇水時や水位低下時には水車が回らないので、ブロワーも駆動せず酸素供給が停止して、生物を死滅させる結果となる。
【０００４】
【特許文献１】特開平６−２０９６７５号公報（第１図）
【特許文献２】特開平６−１８２３７２号公報（要約）
【発明の開示】
【発明が解決しようとする課題】
【０００５】
解決しようとする課題は、エアレーション用ブロワーの動力源に水源からの流下水を利用してランニングコストを低減し、且つ、水源が渇水状態になるなどの緊急時においても魚を死滅させることのないよう、養魚槽内へ安定したエアレーションが実施されるシステムを提供することである。
【課題を解決するための手段】
【０００６】
本発明では、水源に設けられた取水口よりフローセンサを介して導下される水流により水車を回転させ、該水車の回転により養魚槽に水を供給すると共に発電機を駆動させ、該発電機からの発生電力を制御器中の電力制御部を介しブロワーの電動機に供給してブロワーを駆動させることで養魚槽内にエアレーションを行わせ、前記発生電力の余剰分は前記電力制御部を介して蓄電装置に蓄電させ、取水口からの水流が途切れたときは前記フローセンサからの発信信号を制御器中の信号制御部を経て電力制御部に送信させ、蓄電装置からブロワーの電動機に給電しブロワーを駆動させて養魚槽内へのエアレーションを継続させ、蓄電装置に蓄えられた電力を使い果したときは外部電源から制御器中の電力制御部を介しブロワーの電動機に電力を供給してブロワーを駆動させることで養魚槽内にエアレーションを行わせることを最も主要な特徴とする。
【発明の効果】
【０００７】
本発明によれば、水源の渇水や水位低下等で取水口からの水流が途切れた場合でも、フローセンサからの発信信号に基づき、蓄電装置に蓄電されている電力を使用してブロワーは引続き運転されることになり、酸欠による養殖魚の死滅を防ぐことができる。また、仮に蓄電装置に蓄えられた電力を使い果したとしても、一時的に外部電源からの電力供給でブロワーを引続き運転させて酸欠による養殖魚の死滅を防止でき、その間に例えば自家発電装置に繋ぐなどの処置を施すことも可能となる。そして外部電源の使用は応急的なものであり、基本的にはブロワーの駆動源は自然力によるクリーンエネルギーであるため、ＣＯ２などを排出することなく無公害であり、電気使用料も少なくて済みランニングコストの低減に寄与することになり、更に、余剰電力は場内の他の電気負荷器に利用したり、電力会社へ売電することも可能となる。
【発明を実施するための最良の形態】
【０００８】
水源に設けられた取水口よりフローセンサを介して導下される水流により水車を回転させ、該水車の回転により養魚槽に水を供給すると共に発電機を駆動させ、該発電機からの発生電力を制御器中の電力制御部を介しブロワーの電動機に供給してブロワーを駆動させることで養魚槽内にエアレーションを行わせ、前記発生電力の余剰分は前記電力制御部を介して蓄電装置に蓄電させ、取水口からの水流が途切れたときは前記フローセンサからの発信信号を制御器中の信号制御部を経て電力制御部に送信させ、蓄電装置からブロワーの電動機に給電しブロワーを駆動させて養魚槽内へのエアレーションを継続させ、蓄電装置に蓄えられた電力を使い果したときは外部電源から制御器中の電力制御部を介しブロワーの電動機に電力を供給してブロワーを駆動させることで養魚槽内にエアレーションを行わせる。また、養魚槽内に浸漬され溶存酸素検出器からの検出信号を制御中の信号制御部で処理して電力制御部へ指令し、該指令に基づきブロワーの電動機の運転制御により、養魚槽内の溶存酸素量を適正値に保持させる。
【実施例１】
【０００９】
図１において、１は水源、２は水源１に設けられた取水口、３は取水口２から導下されて養魚槽４内へ開口される取水管、５は取水管３の途中に介装された水車、６は水車５の回転軸端に連結された発電機であり、該発電機６は電力ケーブル７ａによって別途設置の制御器８に内蔵された電力制御部９に接続され、該電力制御部９は電力ケーブル７ｂによって外部電源１０（商用電源，自家発電装置等）へ接続される。１１ａはブロワー１１ｂを駆動させる電動機であり、該電動機１１ａは電力ケーブル７ｃによって電力制御部９に接続され、ブロワー１１ｂから導出された送気管１１ｃの先端には散気装置１１ｄが付設されて養魚槽４内に導下されている。１２は電力ケーブル７ｄによって電力制御部９と接続された蓄電装置、１３は電力ケーブル７ｅによって蓄電装置１２と接続された非常灯、１４は電力ケーブル７ｆによって電力制御部９と接続さらた電気負荷器である。１５は取水口２から導下されて水車５に至る取水管３の途中に介装されたフローセンサであり、該フローセンサ１５を信号ケーブル１６ａにより制御器８中の信号制御部１８へ接続する。
【００１０】
上述の構成において平時は、水源１と水車５との間の落差によって生じる水の自然エネルギーにより水車が回転させられ、その回転軸端に連結された発電機６が駆動して電力が発生する。発電機６により発電された電力は、電力ケーブル７ｃで繋がれている電動機１１ａの駆動電力として使用され、電動機１１ａの駆動によってブロワー１１ｂが駆動し、送気管１１ｃを通じて空気が散気装置１１ｄに送られ、養魚槽４内のエアレーションが行われる。そして発電された電力の余剰分は電力制御部９から電力ケーブル７ｄを通じて蓄電装置１２へ蓄えられたり、別の電力ケーブル７ｂを通じて外部電源１０へ送電されることで電力会社へ売電することもできる。なお、上述の蓄電装置１２への充電は、過充電を防止するため蓄電装置１２がフル充電状態になれば電力制御部９からの充電電力の給電が遮断される。
【００１１】
水源１が渇水状態に陥ったり、或いは何らかの事故で取水管３が破損して管内の水の流れが停滞すれば、水車５が駆動不能となって発電機６による発電が停止することになる。しかしこのような場合でも、前述のように予め取水管３に取付けられたフローセンサ１５からの発信信号が信号ケーブル１６ａを介して制御器８中の信号制御部１８で処理されており、その指令が電力制御部９へ送られることで、蓄電装置１２に蓄えられていた電力を使用するシステムに切換えられる。従って、電動機１１ａは蓄電装置１２の電力により駆動されてブロワー１１ｂは運転し、緊急時でも途切れることなく養魚槽４のエアレーションが行われる。また、仮に蓄電装置１２に蓄えられた電力を使い果したとしても、制御器８中の電力制御部９により電力ケーブル７ｂを介して外部電源１０へ切換えられ、引続きブロワー１１ｂは運転されるので、緊急時においてもエアレーションが停止することを回避することができる。
【実施例２】
【００１２】
実施例１の構成を前提として、１７は養魚槽４内に浸漬された溶存酸素検出器であり、制御器８内に内蔵された信号機制御部１８へ信号ケーブル１６ａによって接続されている。そして該溶存酸素検出器１７から信号ケーブル１６ｂを介して信号機制御部１８へ送られる信号が予め定めた設定値を超えた場合、その指令が電源制御部９に送られ、電動機１１ａへの電力の供給は一旦遮断され、養魚槽４内の酸素量が低下し設定値を再び下回れば電動機１１ａへ電力が供給されブロワー１１ｂが駆動してエアレーションが行われる。また、停電時には、電力ケーブル７ｅにより蓄電装置１２に繋がれた場内の非常灯１３や、その他の電気負荷器１４へも前記蓄電された電力を流用すことができる。
【図面の簡単な説明】
【００１３】
【図１】本発明システムの系統図である。
【符号の説明】
【００１４】
１      水源
２      取水口
４      養魚槽
５      水車
６      発電機
８      制御器
９      電力制御部
１０      外部電源
１１ａ    電動機
１１ｂ    ブロワー
１２      蓄電装置
１５      フローセンサ
１７      溶存酸素検出器
１８      信号機制御部
１４      吐出口
【図１】
2006191801.tif 000003